(57)【要約】    【課題】  容易な水位調整作業を行うことができる分水口ゲートを提供することである。    【解決手段】  分水口の開口部の両側に沿ってそれぞれ配置された一対のガイドレール（１８）の溝内に両縁部が収容された円形の扉体（１２）と、一端が扉体に堅固に固定され、扉体を昇降させるのに用いられるレバー（１４）と、扉体の一方の面の直径方向に対向した箇所に設けられた一対の扉体係止手段（１６）とを備え、分水口ゲートを固定しようとする際に、固定しようとする箇所に扉体を配置し、その箇所においてレバーを一方向に傾斜させ、扉体係止手段を溝内に入り込ませることによって、扉体を固定するように構成されていることを特徴とする分水口ゲート（１０）が提供される。【選択図】  図１
2008136422.tif 000002
【特許請求の範囲】
【請求項１】
レバー式分水口ゲートであって、
分水口の開口部の両側に沿ってそれぞれ配置された一対のガイドレールの溝内に両縁部が収容された円形の扉体と、
一端が前記扉体に堅固に固定され、前記扉体を昇降させるのに用いられるレバーと、
前記扉体の一方の面の直径方向に対向した箇所に設けられた一対の扉体係止手段とを備え、
分水口ゲートを固定しようとする際に、固定しようとする箇所に前記扉体を配置し、前記箇所において前記レバーを一方向に傾斜させ、前記扉体係止手段を前記溝内に入り込ませることによって、前記扉体を固定するように構成されていることを特徴とする分水口ゲート。
【請求項２】
前記扉体の一方の面の直径方向に対向した別の箇所に設けられた一対の別の扉体係止手段を更に備えていることを特徴とする請求項１に記載の分水口ゲート。
【請求項３】
前記扉体係止手段が、前記一方の面から外方に突出した突出片の形状に形作られていることを特徴とする請求項１又は２に記載の分水口ゲート。
【発明の詳細な説明】
【技術分野】
【０００１】
本発明は一般に、水路に設けられる分水口ゲートに関する。より詳細には、本発明は、水位の調整の容易なレバー式分水口ゲートに関する。
【背景技術】
【０００２】
農業用水路において主水路から分岐水路に分流する箇所には、分水口ゲートが設置されている。従来、分水口ゲートとしては、分水口を覆う扉を手動で昇降させるゲートや、スピンドルを回転させることによって昇降するように構成されたスピンドル式ゲート等が知られている。
【発明の開示】
【発明が解決しようとする課題】
【０００３】
しかしながら、手動で扉を昇降させるゲートは、分水口の閉鎖時のゲートの係止が容易ではないという課題がある。一方、スピンドル式分水口ゲートは、良好な水密性を有するものの、ゲートの下端の高さで水位を調整するため、水位調整時に目視することができず、水位調整作業が容易ではないという課題がある。
【０００４】
したがって、本発明は、従来の手動昇降式の分水口ゲートやスピンドル式分水口ゲートの課題を解決すべく案出されたものであって、容易な水位調整作業を実現するレバー式分水口ゲートを提供することを目的とする。
【課題を解決するための手段】
【０００５】
本願請求項１に記載のレバー式分水口ゲートは、分水口の開口部の両側に沿ってそれぞれ配置された一対のガイドレールの溝内に両縁部が収容された円形の扉体と、一端が前記扉体に堅固に固定され、前記扉体を昇降させるのに用いられるレバーと、前記扉体の一方の面の直径方向に対向した箇所に設けられた一対の扉体係止手段とを備え、分水口ゲートを固定しようとする際に、固定しようとする箇所に前記扉体を配置し、前記箇所において前記レバーを一方向に傾斜させ、前記扉体係止手段を前記溝内に入り込ませることによって、前記扉体を固定するように構成されていることを特徴とするものである。
【０００６】
本願請求項２に記載のレバー式分水口ゲートは、前記請求項１の分水口ゲートにおいて、前記扉体の一方の面の直径方向に対向した別の箇所に設けられた一対の別の扉体係止手段を更に備えていることを特徴とするものである。
【０００７】
本願請求項３に記載のレバー式分水口ゲートは、前記請求項１又は２の分水口ゲートにおいて、前記扉体係止手段が、前記一方の面から外方に突出した突出片の形状に形作られていることを特徴とするものである。
【発明の効果】
【０００８】
本発明のレバー式分水口ゲートによれば、レバーの傾斜という簡単な操作で、ゲートの位置決め／固定を容易に行うことができる。本発明のレバー式分水口ゲートでは、扉体が円形であるので、レバーを円滑かつ容易に傾斜させることができる。また、本発明のレバー式分水口ゲートは、構造が簡単であるため、製造コスト、維持コストが安価であり、故障した場合にも容易に修理することができる。
【発明を実施するための最良の形態】
【０００９】
次に、図面を参照して、本発明の好ましい実施の形態に係るレバー式分水口ゲートについて詳細に説明する。図１（ａ）は、本発明の好ましい実施の形態に係るレバー式分水口ゲートの正面図、図１（ｂ）は、図１（ａ）のレバー式分水口ゲートの平面図である。図１（ａ）において全体として参照符号１０で示される本発明の好ましい実施の形態に係るレバー式分水口ゲートは、扉体１２を備えている。扉体１２は、分水口の開口部（図２参照）よりも僅かに大きな円形の全体形状を有しており、好ましくはステンレス鋼板で形成されている。
【００１０】
レバー式分水口ゲート１０は又、扉体１２を昇降させる際に用いられるレバー１４を備えている。レバー１４は好ましくは、ステンレス鋼製の細長いパイプ材で形成されており、一端が扉体１２のほぼ中央に堅固に固定されている。レバー１４の他端には、操作の便を考慮して、グリップ１４ａが設けられている。
【００１１】
レバー式分水口ゲート１０の扉体１２の一方の面には、直径方向に対向した箇所に、一対の扉体係止手段１６が設けられている。扉体係止手段１６は、扉体１２の一方の面から外方に突出した突出片の形状に形作られている。
【００１２】
図２は、レバー式分水口ゲート１０が設置される分水口を示した正面図、図３は、分水口にレバー式分水口ゲート１０が設置されている状態を示した斜視図、図４は、分水口にレバー式分水口ゲート１０が設置されている状態を示した断面図である。レバー式分水口ゲート１０が設置される分水口には、分水口の開口部の両側に沿って、Ｌ形横断面のアングル材で形成された一対のガイドレール１８が配置されており、レバー式分水口ゲート１０の扉体１２の両縁部が、ガイドレール１８の溝内に収容されている。
【００１３】
次に図５を参照して、以上のように構成されたレバー式分水口ゲート１０の使用について説明する。レバー式分水口ゲート１０は、扉体１２の両縁部をガイドレール１８の溝内に収容することによって分水口に設置されている。分水口の開口部を閉鎖しようとするときは、開口部が覆われるような位置に扉体１２を置き（図５（ａ）参照）、次いで、レバー１４を一方向に傾斜させる（図５（ｂ）参照）。この際、扉体１２が円形であるので、円滑かつ容易に傾斜させることができる。レバー１４を傾斜させると、扉体１２に設けられている扉体係止手段１６がガイドレール１８の溝内に入り込み、扉体１２が固定される。分水口の開口部を開放しようとするときは、レバー１４の傾斜を元に戻して扉体係止手段１６を溝１８から外し、開口部が開放される箇所まで扉体１２を上昇させ、レバー１４を傾斜させてその位置に扉体１２を固定する。
【００１４】
本発明は、以上の発明の実施の形態に限定されることなく、特許請求の範囲に記載された発明の範囲内で、種々の変更が可能であり、それらも本発明の範囲内に包含されるものであることはいうまでもない。
【００１５】
例えば、前記実施の形態では、扉体１２の一方の面の直径方向に対向した箇所に一対の扉体係止手段１６が設けられているが、図６に示されるように、直径方向に対向した別の箇所に一対の別の扉体係止手段１６′を設けてもよい。扉体係止手段１６′を設けることにより、レバー１４を左方向に傾斜させても、扉体１２を固定させることができる。
【図面の簡単な説明】
【００１６】
【図１】図１（ａ）は本発明の好ましい実施の形態に係るレバー式分水口ゲートを示した正面図、図１（ｂ）は図１（ａ）のレバー式分水口ゲートの平面図である。
【図２】レバー式分水口ゲートが設置される分水口を示した正面図である。
【図３】分水口にレバー式分水口ゲートが設置されている状態を示した斜視図である。
【図４】分水口にレバー式分水口ゲートが設置されている状態を示した断面図である。
【図５】レバー式分水口ゲートの使用を説明するための図である。
【図６】レバー式分水口ゲートの変形形態を示した正面図である。
【符号の説明】
【００１７】
１０  レバー式分水口ゲート
１２  扉体
１４  レバー
１６、１６′  扉体係止手段
１８  ガイドレール
【図１】
2008136422.tif 000003
【図２】
2008136422.tif 000004
【図３】
2008136422.tif 000005
【図４】
2008136422.tif 000006
【図５】
2008136422.tif 000007
【図６】
2008136422.tif 000008